(57)【要約】      （修正有）【課題】スリッパ立てがなくても壁面に収納できるスリッパを提供する。【解決手段】スリッパＡ１１の底Ａ１２に磁石部Ａ１３を設ける。磁力により吸着が自在な素材でできた壁Ａ１４に収納しようとした場合に、スリッパＡ１１に設けた磁石部Ａ１３を壁Ａ１４に吸着することでスリッパＡ１１を壁Ａ１４に固定して収納することができる。【選択図】図１
2019216756.tif 000002
【特許請求の範囲】
【請求項１】
スリッパの底の面に磁石部を設けたことを特徴とする吸着式スリッパ
【請求項２】
磁石により吸着可能な素材でできた壁に吸着固定が自在な吸着力を備えた磁石部をスリッパの床接地面に設けたことを特徴とする吸着式スリッパ
【請求項３】
磁石により吸着可能な素材でできた壁に吸着固定が自在な吸着力を備えた磁石部をスリッパの底の内部に設けたことを特徴とする吸着式スリッパ
【請求項４】
スリッパの裏底に装着自在なシートの内部に磁石部を設けたことを
特徴とするスリッパ用吸着具
【請求項５】
スリッパの裏底に装着自在なシートの床接地面に磁石部を設けたことを
特徴とするスリッパ用吸着具
【請求項６】
スリッパの裏底に装着自在な底の内部に磁石部を設けたことを
特徴とするスリッパ用吸着具
【請求項７】
スリッパの裏底に装着自在な後付底の床接地面に磁石部を設けたことを
特徴とするスリッパ用吸着具
【請求項８】
請求項４から請求項７に記載のいずれかのスリッパ用吸着具において、
スリッパを装着する面にさらに接着テープを設けたことを特徴とするスリッパ用吸着具
【請求項９】
請求項４から請求項７に記載のいずれかのスリッパ用吸着具において、
スリッパを装着する面にさらに面テープを設けたことを特徴とするスリッパ用吸着具
【請求項１０】
請求項４から請求項７に記載のいずれかのスリッパ用吸着具において、
スリッパを装着する面にさらに粘着部を設けたことを特徴とするスリッパ用吸着具
【請求項１１】
請求項４から請求項１０に記載のいずれかのスリッパ用吸着具において、
さらにスリッパ吸着具の一部に手で切り取り自在なミシン目加工を設け、立体的な形状を有するスリッパの底への装着を可能にしたことを特徴とする
スリッパ用吸着具
【請求項１２】
請求項４から請求項１０に記載のいずれかのスリッパ用吸着具において、
さらにスリッパ吸着具の一部に切り取り線を設け、線に沿って吸着具を切り取ることで立体的な形状を有するスリッパの底への装着を可能にしたことを特徴とする
スリッパ用吸着具
【請求項１３】
請求項４から請求項１２に記載のいずれかのスリッパ用吸着具において、
さらにスリッパ用吸着具に防水加工を施したことを特徴とする
スリッパ用吸着具
【請求項１４】
請求項４から請求項１３に記載のいずれかのスリッパ用吸着具において、
サンダルにも装着自在とすることを特徴とする
スリッパ用吸着具
【請求項１５】
請求項４から請求項１４に記載のいずれかのスリッパ用吸着具において、
磁石により吸着可能な素材でできた壁に吸着固定が自在な吸着力を備えた磁石部を備えていることを特徴とするスリッパ用吸着具
【発明の詳細な説明】
【技術分野】
【０００１】
本発明は、磁力の力により壁面などに吸着固定が自在な磁石部を備えた吸着式スリッパ
に関するものである。
【発明の開示】
【発明が解決しようとする課題】
【０００２】
従来のようなスリッパはスリッパ立てがない場合、壁面に収納することができないという不都合を解決することを課題とする
【課題を解決するための手段】
【０００３】
請求項１に記載の発明は
スリッパの底の面に磁石部を設けたことを特徴とする吸着式スリッパ
である
これにより
磁力により吸着が自在な素材でできた壁面に収納しようとした場合に
スリッパに設けた磁石部を壁面に吸着することでスリッパを壁面に固定して収納することができる
【０００４】
請求項２に記載の発明は
磁石により吸着可能な素材でできた壁に吸着固定が自在な吸着力を備えた磁石部をスリッパの床接地面に設けたことを特徴とする吸着式スリッパ
である。
これにより
磁力により吸着が自在な素材でできた壁面に収納しようとした場合に
スリッパに設けた磁石部を壁面に吸着することでスリッパを壁面に固定して収納
することができる。
【０００５】
請求項３に記載の発明は
磁石により吸着可能な素材でできた壁に吸着固定が自在な吸着力を備えた磁石部をスリッパの底の内部に設けたことを特徴とする吸着式スリッパ
である。
これにより
磁力により吸着が自在な素材でできた壁面に収納しようとした場合に
スリッパに設けた磁石部を壁面に吸着することでスリッパを壁面に固定して収納
することができる。
【０００６】
請求項４に記載の発明は
スリッパの裏底に装着自在なシートの内部に磁石部を設けたことを
特徴とするスリッパ用吸着具
である。
これにより
磁力により吸着が自在な素材でできた壁面に収納しようとした場合に
スリッパの裏底にシートを装着することで
シートに設けた磁石部を壁面に吸着することでスリッパを壁面に固定して収納
することができる。
【０００７】
請求項５に記載の発明は
スリッパの裏底に装着自在なシートの床接地面に磁石部を設けたことを
特徴とするスリッパ用吸着具
である。
これにより
磁力により吸着が自在な素材でできた壁面に収納しようとした場合に
スリッパの裏底にシートを装着することで
シートに設けた磁石部を壁面に吸着することでスリッパを壁面に固定して収納
することができる。
【０００８】
請求項６に記載の発明は
スリッパの裏底に装着自在な底の内部に磁石部を設けたことを
特徴とするスリッパ用吸着具
である。これにより
磁力により吸着が自在な素材でできた壁面に収納しようとした場合に
スリッパの裏底に前記底を装着することで
前記底に設けた磁石部を壁面に吸着することでスリッパを壁面に固定して収納
することができる。
【０００９】
請求項７に記載の発明は
スリッパの裏底に装着自在な後付底の床接地面に磁石部を設けたことを
特徴とするスリッパ用吸着具
である。これにより
磁力により吸着が自在な素材でできた壁面に収納しようとした場合に
スリッパの裏底に前記底を装着することで
前記底に設けた磁石部を壁面に吸着することでスリッパを壁面に固定して収納
することができる。
【００１０】
請求項８に記載の発明は
請求項４から請求項７に記載のいずれかのスリッパ用吸着具において、
スリッパを装着する面にさらに接着テープを設けたことを特徴とするスリッパ用吸着具
である。これにより磁力により吸着が自在な素材でできた壁面に収納しようとした場合に
スリッパの裏底に前記底を接着テープで装着し
前記底に設けた磁石部を壁面に吸着することでスリッパを壁面に固定して収納
することができる。
【００１１】
請求項９に記載の発明は
請求項４から請求項７に記載のいずれかのスリッパ用吸着具において、
スリッパを装着する面にさらに面テープを設けたことを特徴とするスリッパ用吸着具
である。これにより
磁力により吸着が自在な素材でできた壁面に収納しようとした場合に
スリッパの裏底に前記底を面テープにより装着し
前記底に設けた磁石部を壁面に吸着することでスリッパを壁面に固定して収納
することができる。
【００１２】
請求項１０に記載の発明は
請求項４から請求項７に記載のいずれかのスリッパ用吸着具において、
スリッパを装着する面にさらに粘着部を設けたことを特徴とするスリッパ用吸着具である。
これにより
磁力により吸着が自在な素材でできた壁面に収納しようとした場合に
スリッパの裏底に前記底を粘着部で装着し
前記底に設けた磁石部を壁面に吸着することでスリッパを壁面に固定して収納
することができる。
【００１３】
請求項１１に記載の発明は
請求項４から請求項１０に記載のいずれかのスリッパ用吸着具において、
さらにスリッパ吸着具の一部に手で切り取り自在なミシン目加工を設け、立体的な形状を有するスリッパの底への装着を可能にしたことを特徴とする
スリッパ用吸着具
である。これにより
磁力により吸着が自在な素材でできた壁面に収納しようとした場合に
スリッパの裏底の立体的な形状に応じてミシン目加工を切り取り前記底を装着することで
前記底に設けた磁石部を壁面に吸着することでスリッパを壁面に固定して収納
することができる。
【００１４】
請求項１２に記載の発明は
請求項４から請求項１０に記載のいずれかのスリッパ用吸着具において、
さらにスリッパ吸着具の一部に切り取り線を設け、線に沿って吸着具を切り取ることで立体的な形状を有するスリッパの底への装着を可能にしたことを特徴とする
スリッパ用吸着具である。
これにより
磁力により吸着が自在な素材でできた壁面に収納しようとした場合に
スリッパの裏底の立体的な形状に応じて切り取り線に沿って切り取り前記底を装着する
ことで前記底に設けた磁石部を壁面に吸着することでスリッパを壁面に固定して収納
することができる。
【００１５】
請求項１３に記載の発明は
請求項４から請求項１２に記載のいずれかのスリッパ用吸着具において、
さらにスリッパ用吸着具に防水加工を施したことを特徴とする
スリッパ用吸着具
であるこれにより
水濡れによる劣化を防ぐとこが
できる。
【００１６】
請求項１４に記載の発明は
請求項４から請求項１３に記載のいずれかのスリッパ用吸着具において、
サンダルにも装着自在とすることを特徴とする
スリッパ用吸着具
であるこれにより
サンダルへの装着も自在な吸着具としてサンダルの壁面収納を自在に
することができる。
【００１７】
請求項１５に記載の発明は
請求項４から請求項１４に記載のいずれかのスリッパ用吸着具において、
磁石により吸着可能な素材でできた壁に吸着固定が自在な吸着力を備えた磁石部を備えていることを特徴とするスリッパ用吸着具
であるこれにより
スリッパを壁面収納
することができる。
【発明の効果】
【００１８】
本発明により、磁力により吸着が自在な素材でできた壁面に収納しようとした場合に
スリッパに設けた磁石部を壁面に吸着することでスリッパを壁面に固定して収納することができる
【発明を実施するための形態】
【００１９】
以下、本発明の実施の形態を説明する
[実施形態１］
本発明の壁面への吸着固定収納が自在なスリッパ（A１１）の構成は
スリッパ（A１１）の底（A１４）に磁石部（A１３）を設ける
本発明の壁面への吸着固定収納も自在な吸着式のスリッパを使用する場合は
磁力により吸着が自在な素材でできた壁面に吸着式スリッパ（A１１）の磁石部（A１３）を吸着することで
壁面に吸着固定することができる
【００２０】
以下、本発明の実施の形態を説明する
[実施形態２］
本発明のスリッパに装着することで壁面への吸着固定収納を自在にするスリッパ吸着具（B１１）の構成は
地面側の底（B１２）と磁石部（B１３）とスリッパ装着部（B１８）からなる
シート状のスリッパ吸着具（B１１）であり、スリッパ吸着具（B１１）のスリッパ装着部（B１８）の面にさらに粘着テープ（B１４）を設け、切り取り自在なミシン目加工（B２０）をスリッパ吸着具（B１１）に設ける
本発明の壁面への吸着固定収納も自在にするスリッパ吸着具（B１１）を使用する場合はスリッパの底にスリッパ吸着具（B１１）を接着テープ（B１４）により接着して装着し磁力により吸着が自在な素材でできた壁面に、スリッパの底を接触させることで
スリッパに装着したスリッパ吸着具（B１１）に備えた磁石部（B１３）により前記素材の壁に吸着固定し、前記スリッパを壁面へ収納をすることができる
またミシン目加工（B２０）により手で簡単にスリッパ吸着具（B１１）を切り取ることができ、スリッパの底の形状に合わせた立体的な装着ができる
【００２１】
以下、本発明の実施の形態を説明する
[実施形態３］
本発明のスリッパに装着することで壁面への吸着固定収納を自在にするスリッパ吸着具（C１１）の構成は
地面側の底（C１２）と磁石部（C１３）とスリッパ装着部（C１８）からなる
シート状のスリッパ吸着具（C１１）であり、スリッパ吸着具（C１１）のスリッパ装着部（C１８）の面にさらに面テープ（C１４）を設け、切り取り線（C２０）をスリッパ吸着具（C１１）に設ける
本発明の壁面への吸着固定収納も自在にするスリッパ吸着具（C１１）を使用する場合はスリッパの底にスリッパ吸着具（C１１）を面テープ（C１４）により接着して装着し磁力により吸着が自在な素材でできた壁面に、スリッパの底を接触させることで
スリッパに装着したスリッパ吸着具（C１１）に備えた磁石部（C１３）により前記素材の壁に吸着固定し、前記スリッパを壁面へ収納をすることができる
また切り取り線（C２０）を沿ってスリッパ吸着具（C１１）を切り取ることができ、スリッパの底の形状に合わせた立体的な装着ができる
【図面の簡単な説明】
【００２２】
【図１】実施形態１の壁面への吸着固定収納が自在な吸着式スリッパの図（A―１）吸着式スリッパの断面図（A−２）吸着式スリッパの平面図
【図２】実施形態２の壁面への吸着固定収納も自在にするスリッパ吸着具の側面図
【図３】実施形態２のスリッパに装着することで壁面への吸着固定収納を自在にするスリッパ吸着具の図（B―１）スリッパ吸着具の平面図（B−２）スリッパ吸着具の断面図
【図４】実施形態２のスリッパに装着することで壁面への吸着固定収納を自在にするスリッパ吸着具の分解斜視図
【図５】実施形態３の壁面への吸着固定収納も自在にするスリッパ吸着具の側面図
【図６】実施形態３のスリッパに装着することで壁面への吸着固定収納を自在にするスリッパ吸着具の図（C―１）スリッパ吸着具の平面図（C−２）スリッパ吸着具の断面図
【図７】実施形態３のスリッパに装着することで壁面への吸着固定収納を自在にするスリッパ吸着具の分解斜視図
【符号の説明】
【００２３】
A１１  壁面への吸着固定収納が自在な吸着式スリッパ
A１２  底
A１３  磁石部
A１４  壁
A１５  断面位置
A１６  爪先保護部
B１１  スリッパに装着することで壁面への吸着固定収納を自在にするスリッパ吸着具
B１２  吸着具の地面接地側の底
B１３  磁石部
B１４  接着テープ
B１５  爪先保護部
B１６  スリッパの内側の底
B１７  スリッパの外側の底
B１８  スリッパ装着部
B１９  壁
B２０  ミシン目加工部
C１１  スリッパに装着することで壁面への吸着固定収納を自在にするスリッパ吸着具
C１２  吸着具の地面接地側の底
C１３  磁石部
C１４  面テープ
C１５  爪先保護部
C１６  スリッパの内側の底
C１７  スリッパの外側の底
C１８  スリッパ装着部
C１９  壁
C２０  切り取り線
【図１】
2019216756.tif 000003
【図２】
2019216756.tif 000004
【図３】
2019216756.tif 000005
【図４】
2019216756.tif 000006
【図５】
2019216756.tif 000007
【図６】
2019216756.tif 000008
【図７】
2019216756.tif 000009